(57)【要約】  本発明の実施例では、チャネル品質フィードバック方法、ユーザ端末、チャネル品質測定の制御方法、及び基地局が提供されている。一例では、該チャネル品質フィードバック方法は、ユーザ端末（ＵＥ）が、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことを含む。本発明は、マルチユーザスケジューリング時のチャネル品質フィードバックの正確度の向上を目的とする。
2019516267.tif 000002
【特許請求の範囲】
【請求項１】
チャネル品質フィードバック方法であって、
ユーザ端末（ＵＥ）が、第１の参照信号ポートにおいて、チャネル品質測定を行って、第１の測定結果を得て基地局にフィードバックし、
第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことを含むことを特徴とする方法。
【請求項２】
前記第２の参照信号ポートは、復調参照信号（ＤＭＲＳ）ポートであり、前記ユーザ端末が、第２の参照信号ポートにおいて、マルチユーザスケジューリング時のチャネル品質測定を行うことは、
前記マルチユーザスケジューリングに使用される全てのＤＭＲＳポートにおけるリソースエレメント（ＲＥ）の総電力を算出し、
該ユーザ端末に割り当てられたＤＭＲＳポートにおいて、チャネル推定を行って、前記ユーザ端末の信号電力を得、
前記総電力及び前記信号電力から干渉電力を得る、ことを含むことを特徴とする請求項１に記載の方法。
【請求項３】
前記第２の参照信号ポートは、ＤＭＲＳポートであり、前記ユーザ端末が、第２の参照信号ポートにおいて、マルチユーザスケジューリング時のチャネル品質測定を行うことは、
前記ユーザ端末に割り当てられたＤＭＲＳポートにおいて、チャネル推定を行って、該ユーザ端末の信号電力を得、
該ユーザ端末と同期スケジューリングされる他のユーザ端末に割り当てられたＤＭＲＳポートにおいて、それぞれチャネル推定を行って干渉電力を得る、ことを含むことを特徴とする請求項１に記載の方法。
【請求項４】
ゼロ電力ＣＳＩ−ＲＳポートに割り当てられたＲＥにおいて前記基地局から送信された、該ユーザ端末と同期スケジューリングされる他のユーザ端末のデータ信号を受信することをさらに含み、
前記第２の参照信号ポートは、ＤＭＲＳポートであり、前記ユーザ端末が、第２の参照信号ポートにおいて、マルチユーザスケジューリング時のチャネル品質測定を行うことは、
該ユーザ端末に割り当てられたＤＭＲＳポートにおいて、チャネル推定を行って、前記ユーザ端末の信号電力を得、
該ユーザ端末が、前記ゼロ電力ＣＳＩ−ＲＳポートに割り当てられたＲＥにおいて、干渉電力を測定する、ことを含むことを特徴とする請求項１に記載の方法。
【請求項５】
前記第２の参照信号ポートは、予め設定された１組のユーザ固有ＣＳＩ−ＲＳポートであり、
該方法は、物理上り共有チャネル（ＰＵＳＣＨ）フィードバック情報を指示するための第１の下り制御情報（ＤＣＩ）を介して前記基地局から提供された、前記予め設定されたユーザ固有ＣＳＩ−ＲＳポートの中から前記基地局によって選択された１つ又は複数の第１のユーザ固有ＣＳＩ−ＲＳポートの指示情報を受信することをさらに含み、
前記ユーザ端末が、前記第２の参照信号ポートにおいて、マルチユーザスケジューリング時のチャネル品質測定を行うことは、
前記第１のユーザ固有ＣＳＩ−ＲＳポートにおいて、前記ユーザ端末の信号電力を測定し、
前記予め設定されたユーザ固有ＣＳＩ−ＲＳポートにおける全てのＲＥの総電力を算出し、該総電力及び前記信号電力から、干渉電力を得、或いは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って前記干渉電力を得る、ことを含むことを特徴とする請求項１に記載の方法。
【請求項６】
前記第２の参照信号ポートは、予め設定された１組のユーザ固有ＣＳＩ−ＲＳポートであり、前記ユーザ端末が、第２の参照信号ポートにおいて、マルチユーザスケジューリング時のチャネル品質測定を行うことは、
該ユーザ端末が、前記予め設定されたユーザ固有ＣＳＩ−ＲＳポートの中から、１つ又は複数の第１のユーザ固有ＣＳＩ−ＲＳポートを選択し、前記第１のユーザ固有ＣＳＩ−ＲＳポートにおいて、前記ユーザ端末の信号電力を測定し、
前記予め設定されたユーザ固有ＣＳＩ−ＲＳポートにおける全てのＲＥの総電力を算出し、該総電力及び前記信号電力から、干渉電力を得、或いは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って前記干渉電力を得る、ことを含むことを特徴とする請求項１に記載の方法。
【請求項７】
前記第２の測定結果を得て基地局にフィードバックすることは、
前記信号電力及び前記干渉電力に基づいて、マルチユーザチャネル品質指示（ＣＱＩ）を生成し、
前記マルチユーザＣＱＩを前記第２の測定結果に付けて前記基地局に送信し、或いは、前記第１の測定結果における第１のＣＱＩを前記マルチユーザＣＱＩに修正して前記基地局に送信する、ことを含むことを特徴とする請求項２乃至６のいずれか１項に記載の方法。
【請求項８】
前記信号電力及び前記干渉電力に基づいて、マルチユーザチャネル品質指示（ＣＱＩ）を生成することは、
該ユーザ端末の各サブバンドにおける信号電力を決定し、各サブバンドにおける該ユーザ端末の干渉電力を推定し、各サブバンドにおける前記信号電力と前記干渉電力との比率に基づいて、該サブバンドにおけるマルチユーザＳＩＮＲを決定し、該マルチユーザＳＩＮＲから、該サブバンドにおけるマルチユーザＣＱＩを得、
基地局から受信されたリソース割当タイプによって、該ユーザ端末のブロードバンドマルチユーザＣＱＩを算出する必要があることが決定された場合、全てのサブバンドにおけるマルチユーザＳＩＮＲを平均化し量子化して、ブロードバンドマルチユーザＣＱＩを得る、ことを含むことを特徴とする請求項７に記載の方法。
【請求項９】
前記第２の測定結果を得て基地局にフィードバックすることは、
前記信号電力及び前記干渉電力に基づいて、マルチユーザＣＱＩを生成し、
前記第１の測定結果における第１のＣＱＩと前記マルチユーザＣＱＩとの第１のオフセットを決定し、前記第１のＣＱＩ及び前記第１のオフセットを前記基地局に送信する、ことを含むことを特徴とする請求項２乃至６のいずれか１項に記載の方法。
【請求項１０】
前記第２の測定結果を得て基地局にフィードバックすることは、
前記信号電力及び前記干渉電力に基づいて、マルチユーザＣＱＩを生成し、
物理下り共有チャネル（ＰＤＳＣＨ）伝送情報を指示するための第２のＤＣＩから、変調符号化方式（ＭＣＳ）指示を得、前記ＭＣＳ指示と前記マルチユーザＣＱＩとの第２のオフセットを決定し、
前記ＭＣＳ指示及び前記第２のオフセットを前記基地局に送信する、ことを含むことを特徴とする請求項２乃至６のいずれか１項に記載の方法。
【請求項１１】
前記第２のタイプの測定のトリガー条件が満たされるか否かを検出することは、
前記ユーザ端末が、ユーザ固有上位レイヤシグナリング、又は、物理上り共有チャネル（ＰＵＳＣＨ）フィードバック情報を指示するための第１のＤＣＩに付けられているマルチユーザＣＱＩ情報ビットを読み取り、
前記マルチユーザＣＱＩ情報ビットによって、マルチユーザＣＱＩの測定を行う必要があることが指示される場合、前記ユーザ端末が、自局のデータ信号を受信したか否かを検出し、
受信したとき、該トリガー条件が満たされると決定する、ことを含むことを特徴とする請求項１に記載の方法。
【請求項１２】
前記基地局から送信された、物理上り共有チャネル（ＰＵＳＣＨ）フィードバック情報及び物理下り共有チャネル（ＰＤＳＣＨ）伝送情報を指示するための第３のＤＣＩを受信することをさらに含み、
前記第２のタイプの測定のトリガー条件が満たされるか否かを検出することは、
前記ユーザ端末が、前記第３のＤＣＩに付けられているマルチユーザＣＱＩ情報ビットを読み取り、
前記マルチユーザＣＱＩ情報ビットによって、マルチユーザＣＱＩの測定を行う必要があることが指示される場合、前記ユーザ端末が、自局のデータ信号を受信したか否かを検出し、
受信したとき、該トリガー条件が満たされると決定する、ことを含むことを特徴とする請求項１に記載の方法。
【請求項１３】
前記ユーザ端末が、自局のデータ信号を受信したか否かを検出することは、
前記ユーザ端末がサブフレームｎにおいて前記マルチユーザＣＱＩ情報ビットを受信した場合、該ユーザ端末がサブフレーム（ｎ−ｋ１）からサブフレーム（ｎ＋ｋ２）の間に（ｋ１は（−ｋ２）以上、前記ｋ２は０以上）前記データ信号を受信したか否かを判断し、受信したとき、該トリガー条件が満たされると決定する、ことを含み、
、前記ユーザ端末は、サブフレーム（ｎ＋ｋ３）において（ｋ３はｋ２より大きい）、前記第２の測定結果をフィードバックする、ことを特徴とする請求項１１又は請求項１２に記載の方法。
【請求項１４】
前記第２のタイプの測定のトリガー条件が満たされるか否かを検出することは、
前記ユーザ端末が、物理下り共有チャネル（ＰＤＳＣＨ）伝送情報を指示するための第２のＤＣＩを受信した場合、測定ウィンドウにおいてＣＳＩ−ＲＳフィードバックタイミングが存在するか否かを判断し、
前記ＣＳＩ−ＲＳフィードバックタイミングが存在するとき、該トリガー条件が満たされると決定する、ことを含むことを特徴とする請求項１に記載の方法。
【請求項１５】
チャネル品質測定の制御方法であって、
基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、
前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことを含むことを特徴とする方法。
【請求項１６】
前記第２のタイプの測定のトリガー条件をオンに設定することは、
前記基地局が、ユーザ固有上位レイヤシグナリング、又は、物理上り共有チャネル（ＰＵＳＣＨ）フィードバック情報を指示するための第１のＤＣＩに、マルチユーザＣＱＩ情報ビットを追加し、該マルチユーザＣＱＩ情報ビットをオンに設定して、前記ユーザ端末に送信することにより、該ユーザ端末が前記第２のタイプの測定を行うことをトリガーする、ことを含むことを特徴とする請求項１５に記載の方法。
【請求項１７】
前記第２のタイプの測定のトリガー条件をオンに設定することは、
前記基地局が、物理上り共有チャネル（ＰＵＳＣＨ）フィードバック情報及び物理下り共有チャネル（ＰＤＳＣＨ）伝送情報を指示するための第３のＤＣＩを構築し、前記第３のＤＣＩのマルチユーザＣＱＩ情報ビットをオンに設定して、前記ユーザ端末に送信することにより、該ユーザ端末が前記第２のタイプの測定を行うことをトリガーする、ことを含むことを特徴とする請求項１５に記載の方法。
【請求項１８】
前記基地局が、ゼロ電力ＣＳＩ−ＲＳポートにおける該ユーザ端末に割り当てられたＲＥにおいて、該ユーザ端末と同期スケジューリングされる他のユーザ端末のデータ信号を送信することにより、前記ユーザ端末が、前記自局に割り当てられたＲＥにおいて、干渉電力を測定するようにし、該ユーザ端末と同期スケジューリングされる他のユーザ端末が、該ＲＥにおいて、データ信号を受信するようにする、ことをさらに含むことを特徴とする請求項１５に記載の方法。
【請求項１９】
前記基地局が、ＣＳＩ−ＲＳポートの中から、１組のユーザ固有ＣＳＩ−ＲＳポートを前記第２の参照信号ポートとして分割し、前記ユーザ端末が前記ユーザ固有ＣＳＩ−ＲＳポートにおける全てのＲＥの総電力を算出することに供し、
前記ユーザ固有ＣＳＩ−ＲＳポートの中から、１つ又は複数の第１のユーザ固有ＣＳＩ−ＲＳポートを選択し、物理上り共有チャネル（ＰＵＳＣＨ）フィードバック情報を指示するための第１の下り制御情報（ＤＣＩ）を介して、前記第１のユーザ固有ＣＳＩ−ＲＳポートを該ユーザ端末に指示し、前記ユーザ端末が前記第１のユーザ固有ＣＳＩ−ＲＳポートにおいて信号電力を測定することに供する、ことをさらに含むことを特徴とする請求項１５に記載の方法。
【請求項２０】
前記基地局が、前記ユーザ端末から送信された前記第２の測定結果を受信し、その中から、第１のＣＱＩ及び第１のオフセットを取得し、前記第１のＣＱＩ及び前記第１のオフセットに基づいて、マルチユーザＣＱＩを復元する、ことをさらに含むことを特徴とする請求項１５に記載の方法。
【請求項２１】
前記基地局が、前記ユーザ端末から送信された前記第２の測定結果を受信し、その中から、ＭＣＳ指示及び第２のオフセットを取得し、前記ＭＣＳ指示及び前記第２のオフセットに基づいて、マルチユーザＣＱＩを復元する、ことをさらに含むことを特徴とする請求項１５に記載の方法。
【請求項２２】
ユーザ端末であって、
プロセッサと、
不揮発性機械可読記憶媒体と、
該不揮発性機械可読記憶媒体に記憶され、該プロセッサで実行されるプログラムモジュールと、を備え、
前記プログラムモジュールは、
第１の参照信号ポートにおいて、チャネル品質測定を行って、第１の測定結果を得て基地局にフィードバックし、
第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする、ことを特徴とするユーザ端末。
【請求項２３】
前記プログラムモジュールは、
前記マルチユーザスケジューリングに使用される全てのＤＭＲＳポートにおけるリソースエレメント（ＲＥ）の総電力を算出し、
該ユーザ端末に割り当てられたＤＭＲＳポートにおいて、チャネル推定を行って、前記ユーザ端末の信号電力を得、
前記総電力及び前記信号電力から干渉電力を得る、ことを特徴とする請求項２２に記載のユーザ端末。
【請求項２４】
前記プログラムモジュールは、
前記ユーザ端末に割り当てられたＤＭＲＳポートにおいて、チャネル推定を行って、該ユーザ端末の信号電力を得、
該ユーザ端末と同期スケジューリングされる他のユーザ端末に割り当てられたＤＭＲＳポートにおいて、それぞれチャネル推定を行って干渉電力を得る、ことを特徴とする請求項２２に記載のユーザ端末。
【請求項２５】
前記プログラムモジュールは、
ゼロ電力ＣＳＩ−ＲＳポートにおける該ユーザ端末に割り当てられたＲＥにおいて前記基地局から送信された、該ユーザ端末と同期スケジューリングされる他のユーザ端末のデータ信号を受信し、
該ユーザ端末に割り当てられたＤＭＲＳポートにおいて、チャネル推定を行って、前記ユーザ端末の信号電力を得、
該ユーザ端末が、前記ゼロ電力ＣＳＩ−ＲＳポートにおける自局に割り当てられたＲＥにおいて干渉電力を測定する、ことを特徴とする請求項２２に記載のユーザ端末。
【請求項２６】
前記プログラムモジュールは、
物理上り共有チャネル（ＰＵＳＣＨ）フィードバック情報を指示するための第１の下り制御情報（ＤＣＩ）を介して前記基地局から提供された、前記予め設定されたユーザ固有ＣＳＩ−ＲＳポートの中から前記基地局によって選択された１つ又は複数の第１のユーザ固有ＣＳＩ−ＲＳポートの指示情報を受信し、
前記第１のユーザ固有ＣＳＩ−ＲＳポートにおいて、前記ユーザ端末の信号電力を測定し、
前記予め設定されたユーザ固有ＣＳＩ−ＲＳポートにおける全てのＲＥの総電力を算出し、該総電力及び前記信号電力から、干渉電力を得、或いは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って前記干渉電力を得る、ことを特徴とする請求項２２に記載のユーザ端末。
【請求項２７】
前記プログラムモジュールは、
前記予め設定されたユーザ固有ＣＳＩ−ＲＳポートの中から、１つ又は複数の第１のユーザ固有ＣＳＩ−ＲＳポートを選択し、前記第１のユーザ固有ＣＳＩ−ＲＳポートにおいて、前記ユーザ端末の信号電力を測定し、
前記予め設定されたユーザ固有ＣＳＩ−ＲＳポートにおける全てのＲＥの総電力を算出し、該総電力及び前記信号電力から、干渉電力を得、或いは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って前記干渉電力を得る、ことを特徴とする請求項２２に記載のユーザ端末。
【請求項２８】
基地局であって、
プロセッサと、
不揮発性機械可読記憶媒体と、
該不揮発性機械可読記憶媒体に記憶され、該プロセッサで実行されるプログラムモジュールと、を備え、
前記プログラムモジュールは、
通常設定情報を介して、ユーザ端末（ＵＥ）に対し、第１の参照信号ポートにおいて、チャネル品質測定を行うよう通知し、該ユーザ端末からフィードバックされた第１の測定結果を受信し、
前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことを特徴とする基地局。
【請求項２９】
前記プログラムモジュールは、
ユーザ固有上位レイヤシグナリング、又は、物理上り共有チャネル（ＰＵＳＣＨ）フィードバック情報を指示するための第１のＤＣＩに、マルチユーザＣＱＩ情報ビットを追加し、該マルチユーザＣＱＩ情報ビットをオンに設定して、前記ユーザ端末に送信することにより、該ユーザ端末が前記第２のタイプの測定を行うことをトリガーする、ことを特徴とする請求項２８に記載の基地局。
【請求項３０】
前記プログラムモジュールは、
物理上り共有チャネル（ＰＵＳＣＨ）フィードバック情報及び物理下り共有チャネル（ＰＤＳＣＨ）伝送情報を指示するための第３のＤＣＩを構築し、
前記第３のＤＣＩのマルチユーザＣＱＩ情報ビットをオンに設定して、前記ユーザ端末に送信することにより、該ユーザ端末が前記第２のタイプの測定を行うことをトリガーする、ことを特徴とする請求項２８に記載の基地局。
【請求項３１】
プログラムであって、
ユーザ端末（ＵＥ）が、第１の参照信号ポートにおいて、チャネル品質測定を行って、第１の測定結果を得て基地局にフィードバックし、
第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことをコンピュータに実行させることを特徴とするプログラム。
【請求項３２】
不揮発性機械可読記憶媒体であって、
前記記憶媒体に機械可読指令が記憶され、前記機械可読指令は、
ユーザ端末（ＵＥ）が、第１の参照信号ポートにおいて、チャネル品質測定を行って、第１の測定結果を得て基地局にフィードバックし、
第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことを完成させるように、プロセッサで実行可能であることを特徴とする不揮発性機械可読記憶媒体。
【請求項３３】
プログラムであって、
基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、
前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことをコンピュータに実行させることを特徴とするプログラム。
【請求項３４】
不揮発性機械可読記憶媒体であって、
前記記憶媒体に機械可読指令が記憶され、前記機械可読指令は、
基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、
前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことを完成させるように、プロセッサで実行可能であることを特徴とする不揮発性機械可読記憶媒体。
【請求項３５】
ユーザ端末であって、
第１の参照信号ポートにおいて、チャネル品質測定を行って、第１の測定結果を得て基地局にフィードバックする第１の測定モジュールと、
第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする第２の測定モジュールと、を備えることを特徴とするユーザ端末。
【請求項３６】
基地局であって、
通常設定情報を介して、ユーザ端末（ＵＥ）に対し、第１の参照信号ポートにおいて、チャネル品質測定を行うよう通知し、該ユーザ端末からフィードバックされた第１の測定結果を受信する第１の測定制御モジュールと、
前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする第２の測定制御モジュールと、を備えることを特徴とする基地局。
【発明の詳細な説明】
【技術分野】
【０００１】
本発明は、通信技術に関し、特に、チャネル品質フィードバック方法、ユーザ端末、チャネル品質測定の制御方法、及び基地局に関する。
【背景技術】
【０００２】
マルチユーザ多入力多出力（ＭＵ−ＭＩＭＯ：Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）技術について、チャネル品質測定及びチャネル状態情報（ＣＳＩ：ｃｈａｎｎｅｌ  ｓｔａｔｅ  ｉｎｆｏｒｍａｔｉｏｎ）推定が行われる。ユーザ間干渉（ＭＵＩ：Ｍｕｌｔｉ−Ｕｓｅｒ  Ｉｎｔｅｒｆｅｒｅｎｃｅ）の測定には、ＭＵＩがユーザスケジューリング結果に大きく左右されるが、実際のユーザスケジューリングがマルチユーザチャネル品質指示（ＭＵ−ＣＱＩ：Ｍｕｌｔｉ−Ｕｓｅｒ  Ｃｈａｎｎｅｌ  Ｑｕａｌｉｔｙ  Ｉｎｄｉｃａｔｏｒ）に依存するような板ばさみの局面がある。
【発明の概要】
【発明が解決しようとする課題】
【０００３】
本発明の実施例は、チャネル品質フィードバック方法、ユーザ端末、チャネル品質測定の制御方法、及び基地局、並びに、プログラム及び不揮発性機械可読記憶媒体を提供しており、マルチユーザ伝送時のチャネル品質フィードバックの正確度の向上を目的とする。
【課題を解決するための手段】
【０００４】
一例では、チャネル品質フィードバック方法であって、ユーザ端末（ＵＥ）が、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことを含む。
【０００５】
一例では、チャネル品質測定の制御方法であって、基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことを含む。
【０００６】
一例では、ユーザ端末であって、プロセッサと、不揮発性機械可読記憶媒体と、該不揮発性機械可読記憶媒体に記憶され、該プロセッサで実行されるプログラムモジュールと、を備え、前記プログラムモジュールは、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする。
【０００７】
一例では、基地局であって、プロセッサと、不揮発性機械可読記憶媒体と、該不揮発性機械可読記憶媒体に記憶され、該プロセッサで実行されるプログラムモジュールと、を備え、前記プログラムモジュールは、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする。
【０００８】
一例では、プログラムであって、ユーザ端末（ＵＥ）が、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことをコンピュータに実行させるプログラムが提供されている。
【０００９】
一例では、不揮発性機械可読記憶媒体であって、前記記憶媒体に機械可読指令が記憶され、前記機械可読指令は、ユーザ端末（ＵＥ）が、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、前記ユーザ端末が、第２の参照信号ポートにおいて、マルチユーザスケジューリング時のチャネル品質測定を行って、第２の測定結果を得て基地局にフィードバックする、ことを完成させるように、プロセッサで実行可能であることを特徴とする不揮発性機械可読記憶媒体が提供されている。
【００１０】
一例では、プログラムであって、基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことをコンピュータに実行させることを特徴とするプログラムが提供されている。
【００１１】
一例では、不揮発性機械可読記憶媒体であって、前記記憶媒体に機械可読指令が記憶され、前記機械可読指令は、基地局が、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、前記基地局が、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする、ことを完成させるように、プロセッサで実行可能であることを特徴とする不揮発性機械可読記憶媒体が提供されている。
【００１２】
一例では、ユーザ端末であって、第１の参照信号ポートにおいて、チャネル品質測定を行って、第１の測定結果を得て基地局にフィードバックする第１の測定モジュールと、第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする第２の測定モジュールと、を備える。
【００１３】
一例では、基地局であって、通常設定情報を介して、ユーザ端末（ＵＥ）に対し、第１の参照信号ポートにおいて、チャネル品質測定を行うよう通知し、該ユーザ端末からフィードバックされた第１の測定結果を受信する第１の測定制御モジュールと、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする第２の測定制御モジュールと、を備える。
【発明の効果】
【００１４】
本発明の実施例では、チャネル品質の測定及びフィードバックのメカニズムが提供され、ユーザ端末に対して第２のタイプの測定という測定過程が追加され、第２の参照信号ポートを用いてマルチユーザスケジューリング時のチャネル品質測定を行って、ユーザ間干渉（ＭＵＩ）を得ることにより、マルチユーザ伝送時のチャネル品質フィードバックの正確度を向上させる。
【図面の簡単な説明】
【００１５】
【図１】本発明の実施例におけるチャネル品質フィードバック方法１００のフローの模式図である。
【図２】本発明の実施例におけるチャネル品質フィードバック方法２００のフローの模式図である。
【図３】本発明の実施例におけるマルチユーザスケジューリングの模式図である。
【図４】本発明の実施例におけるチャネル品質フィードバック方法４００のフローの模式図である。
【図５】本発明の実施例におけるチャネル品質フィードバック方法５００のフローの模式図である。
【図６】本発明の実施例におけるチャネル品質フィードバック方法６００のフローの模式図である。
【図７】本発明の実施例におけるチャネル品質フィードバック方法７００のフローの模式図である。
【図８】本発明の実施例におけるチャネル品質フィードバック方法８００のフローの模式図である。
【図９】本発明の実施例におけるチャネル品質フィードバック方法９００のフローの模式図である。
【図１０】本発明の実施例におけるチャネル品質フィードバック方法１０００のフローの模式図である。
【図１１】本発明の実施例におけるマルチユーザＣＱＩ情報ビットの伝送の模式図である。
【図１２】本発明の実施例におけるマルチユーザＣＱＩ情報ビットの伝送の模式図である。
【図１３】本発明の実施例におけるチャネル品質フィードバック方法１３００のフローの模式図である。
【図１４】本発明の実施例におけるチャネル品質フィードバック方法１４００のフローの模式図である。
【図１５】本発明の実施例におけるチャネル品質測定の制御方法１５００のフローの模式図である。
【図１６】本発明の実施例におけるチャネル品質測定の制御方法１６００のフローの模式図である。
【図１７】本発明の実施例におけるチャネル品質測定の制御方法１７００のフローの模式図である。
【図１８】本発明の実施例におけるチャネル品質測定の制御方法１８００のフローの模式図である。
【図１９】本発明の実施例におけるチャネル品質測定の制御方法１９００のフローの模式図である。
【図２０】本発明の実施例におけるユーザ端末２０００の構成の模式図である。
【図２１】本発明の実施例における基地局２１００の構成の模式図である。
【図２２】本発明の一実施形態に係る無線基地局及びユーザ端末のハードウェア構成の一例を示す図である。
【発明を実施するための形態】
【００１６】
本発明の目的、解決手段、およびメリットをさらに明確にするために、以下、図面を参照しながら、実施例を挙げて、本発明をさらに詳しく説明する。
【００１７】
本発明の実施例では、チャネル品質の測定及びフィードバックのメカニズムが提供され、ユーザ端末に対して第２のタイプの測定という測定過程が追加され、第２の参照信号ポートを用いてマルチユーザスケジューリング時のチャネル品質測定を行って、ユーザ間干渉（ＭＵＩ）を得ることにより、マルチユーザ伝送時のチャネル品質フィードバックの正確度を向上させる。一例では、前記第２のタイプの測定は、トリガー条件によって制御され、非周期的である。例えば、基地局は、あるユーザ端末をスケジューリングして、該ユーザ端末のデータ量が大きいことを発見した場合、該トリガー条件をオンに設定することにより、該ユーザ端末に対して第２のタイプの測定を起動してもよい。
【００１８】
図１は、本発明の実施例におけるチャネル品質フィードバック方法１００のフローの模式図である。一例では、この方法１００は、以下の処理を含む。
【００１９】
ステップ１０１で、ユーザ端末（ＵＥ）は、第１の参照信号ポートにおいて、チャネル品質測定を行って、第１の測定結果を得て基地局にフィードバックする。
【００２０】
指摘すべきものとして、ステップ１０１で実行されるのは、第１のタイプの測定であり、前記第１の参照信号ポートは、通常のチャネル状態情報参照信号（ＣＳＩ−ＲＳ）ポートであってもよいし、セル固有参照信号（ＣＲＳ：Ｃｅｌｌ−ｓｐｅｃｉｆｉｃ  ｒｅｆｅｒｅｎｃｅ  ｓｉｇｎａｌ）ポートであってもよい。
【００２１】
一例では、前記通常のＣＳＩ−ＲＳポートは、基地局で予め設定された、第１のタイプの測定のためのＣＳＩ−ＲＳポートである。前記第１のタイプの測定は、既存の測定過程であり、周期的な測定であってもよいし、非周期的な測定であってもよく、得られた第１の測定結果に第１のＣＱＩが付けられ、通常の場合、シングルユーザＣＱＩが測定される。即ち、前記ユーザ端末が第１の参照信号ポートにおいて行う測定は、基地局の設定で周期的に行われてもよいし、基地局の下り制御シグナリングによるトリガーで不定期に行われてもよい。指摘すべきものとして、第１のタイプの測定で取得されるのは、セル間干渉の情報である。
【００２２】
ステップ１０２で、第２のタイプの測定のトリガー条件が満たされるか否かを検出し、該トリガー条件が満たされる場合、前記ユーザ端末は、第２の参照信号ポートにおいて、マルチユーザスケジューリング時のチャネル品質測定を行って、第２の測定結果を得て基地局にフィードバックする。
【００２３】
一例では、前記第２の参照信号ポートは、復調参照信号（ＤＭＲＳ）ポートであってもよい。該第２の参照信号ポートは、第２のタイプの測定のための、予め設定された１組のユーザ固有ＣＳＩ−ＲＳポートであってもよい。一例では、前記通常のＣＳＩ−ＲＳポートと、前記ユーザ固有ＣＳＩ−ＲＳポートとは、通常、同じではなく、多重化されない。一例では、前記トリガー条件の１つは、該ユーザ端末が自局のデータ信号を受信したこと、即ち、該ユーザ端末が下り伝送においてスケジューリングされることである。この際に実行される第２のタイプの測定では、自セル内の実際のＭＵＩを測定することにより、より正確なＭＵ−ＣＱＩが得られる。
【００２４】
実際の応用では、基地局とユーザ端末との間は、新たなフィードバックモデルを事前に約束してもよい。一例では、前記新たなフィードバックモデルは、モデル４−０又はモデル３−３と名づけられてもよい。一例では、該新たなフィードバックモデルは、ＤＭＲＳポート測定又はユーザ固有ＣＳＩ−ＲＳポート測定によって得られたマルチユーザＣＱＩをフィードバックするためのサブバンドＭＵ−ＣＱＩを含んでもよい。さらに、該新たなフィードバックモデルは、ブロードバンドＭＵ−ＣＱＩを含んでもよい。ユーザ端末が、基地局から送信された第２のＤＣＩから、リソース割当タイプが連続である（例えば、リソース割当タイプの値が０である）ことを知る場合、該ユーザ端末は、基地局へブロードバンドＭＵ−ＣＱＩをフィードバックしなくてもよい。前記第２のＤＣＩは、下りリンクグラント（ＤＬ  ｇｒａｎｔ）を伝送するためのものであり、ＤＣＩ  ２Ｃ又はＤＣＩ  ２Ｄのフォーマットを採用してもよい。前記リソース割当タイプが離散である（例えば、リソース割当タイプの値が１である）場合、該ユーザ端末は、全てのサブバンドＭＵ−ＣＱＩを平均化して、前記ブロードバンドＭＵ−ＣＱＩを得て基地局にフィードバックする。さらに、該新たなフィードバックモデルは、プロトコルＴＳ３６．２１３で定義されたモデル３−０又はモデル３−１又はモデル３−２と同じフィールドを含んでもよい。
【００２５】
指摘すべきものとして、図１における第１のタイプの測定及び第２のタイプの測定は、データ通信における２つの異なるタイプの測定過程であり、両者の前後関係が制限されない。一例では、第１のタイプの測定の後に第２のタイプの測定を行ってもよいし、第２のタイプの測定の後に第１のタイプの測定を行ってもよいし、第１のタイプの測定と第２のタイプの測定とを同時に発生させてもよい。一例では、第１のタイプの測定と第２のタイプの測定とは、相互に独立したものであり、第１のタイプの測定は、周期的に発生するものであり、その発生時間が第２のタイプの測定による影響を受けない。一例では、第２のタイプの測定は、第１のタイプの測定の補足として、チャネル品質フィードバックの正確度の向上に用いられる。
【００２６】
図２は、本発明の実施例におけるチャネル品質フィードバック方法２００のフローの模式図である。一例では、この方法２００は、以下の処理を含む。
【００２７】
ステップ２０１で、ユーザ端末は、第１の参照信号ポートにおいて、チャネル品質測定を行って、第１の測定結果を得て基地局にフィードバックする。一例では、該ユーザ端末が第１のタイプの測定において測定するのは、ＳＵ−ＣＱＩである。
【００２８】
ステップ２０２で、該ユーザ端末は、第２のタイプの測定のトリガー条件が満たされるか否かを検出する。
【００２９】
ステップ２０３で、該トリガー条件が満たされる場合、前記ユーザ端末は、今回のマルチユーザスケジューリングに使用される全てのＤＭＲＳポートにおけるリソースエレメント（ＲＥ）の総電力を算出する。
【００３０】
ステップ２０４で、該ユーザ端末に割り当てられたＤＭＲＳポートにおいて、チャネル推定を行って、前記ユーザ端末の信号電力を得る。
【００３１】
指摘すべきものとして、ＣＳＩ−ＲＳポートとＤＭＲＳポートとに採用されるプリコーディング方式が異なり、ＣＳＩ−ＲＳポートに比べると、ＤＭＲＳポートにおいて信号電力を推定することは、ねらいがよりはっきりして、推定結果がより正確である。
【００３２】
ステップ２０５で、前記ユーザ端末は、前記総電力及び前記信号電力から、干渉電力を得る。
【００３３】
一例では、前記総電力から前記信号電力を減ずると、前記干渉電力を得ることができる。ユーザ端末で算出されたのは、マルチユーザスケジューリングにおける全てのＤＭＲＳポートの総電力であるので、得られた干渉電力には、自セル内の実際のＭＵＩも含まれる。
【００３４】
ステップ２０６で、該ユーザ端末は、前記信号電力及び前記干渉電力によって、第２の測定結果を得て該基地局に送信する。
【００３５】
一例では、ステップ２０６における第２の測定結果を得て基地局にフィードバックすることは、前記信号電力及び前記干渉電力に基づいて、マルチユーザＣＱＩを生成し、前記マルチユーザＣＱＩを第２の測定結果に追加して前記基地局に送信することを含む。具体的には、該第２の測定結果に、該マルチユーザＣＱＩを付けるためのフィールドを設置してもよい。一例では、前記マルチユーザＣＱＩは、サブバンドＭＵ−ＣＱＩを含み、ブロードバンドＭＵ−ＣＱＩをさらに含んでもよい。
【００３６】
通信システムはＫ個のサブバンドを含み、測定ウィンドウはＮ個のＴＴＩを含むと仮定する。該測定ウィンドウでは、ｋ番目のサブバンドにおいて、Ｍ個の第１の参照信号ポート又は第２の参照信号ポートが含まれ、上記ポートにおいて、ユーザ端末の受信信号は、ｙｋ，ｍで表してもよい。ここで、ｍ＝１，・・・，Ｍである。
【００３７】
まず、数式１によって、各サブバンドにおける受信信号の総電力ＰＳＩＮ，ｋを算出する。
【数１】
2019516267.tif 000003
【００３８】
次いで、受信信号と、基地局と約束された参照信号送信シーケンスとに基づいて、該ユーザ端末の第２の参照信号ポート（ＤＭＲＳポート又はユーザ固有ＣＳＩ−ＲＳポートであってもよい）において、チャネル推定を行って、チャネル推定結果ｈｋ，ｍを得、数式２によって信号電力ＰＳ，ｋを算出する。
【数２】
2019516267.tif 000004
その後、数式３によってＳＩＮＲを算出し、該ＳＩＮＲをｄＢ単位に変換する。
【数３】
2019516267.tif 000005
【００３９】
最後に、所定の量子化規則にしたがって、ＳＩＮＲｋを離散値に量子化する。例えば、ＳＩＮＲｋを、対応するＣＱＩの値がそれぞれ０〜２６である２７段階の離散値に量子化してもよい。
【００４０】
指摘すべきものとして、第１のタイプの測定の場合、ＰＳＩＮ，ｋは、信号電力と、雑音電力と、他セルからの干渉電力とを含み、第２のタイプの測定の場合、ＰＳＩＮ，ｋは、自セルの他のユーザ端末からの干渉電力をさらに含む。
【００４１】
一例では、数式３におけるＳＩＮＲｋがサブバンド（ｓｕｂｂａｎｄ）のＳＩＮＲである場合、相応に得られたＣＱＩは、サブバンドＣＱＩである。
【００４２】
ブロードバンドＳＩＮＲ及びブロードバンドＣＱＩについて、各サブバンドにおけるＳＩＮＲを平均化して、ブロードバンドＳＩＮＲを得るようにしてもよく、該ブロードバンドＳＩＮＲを量子化して、ブロードバンドＣＱＩを得ることができる。
【００４３】
一例では、ＭＵ−ＣＱＩは、下記の方法によって算出されてもよい。
まず、数式２によってＰＳ，ｋを算出する。
【００４４】
次いで、ユーザは、受信信号と、他のユーザ端末の参照信号シーケンスとに基づいて、他のユーザ端末のチャネル状況を推定し、得られたチャネル推定結果は、ｈ（２）ｋ，ｍ，・・・，ｈ（Ｐ）ｋ，ｍである。ここで、Ｐは、基地局がマルチユーザスケジューリングを行うときのユーザ数であり、該ユーザ数は、基地局から下りシグナリングを介してユーザに通知される。
【００４５】
その後、該ユーザ端末は、数式４によってマルチユーザスケジューリング時の干渉電力を算出し、セル間干渉及び雑音電力ＰＩＮ，ｋを測定する。
【数４】
2019516267.tif 000006
【００４６】
一例では、該ユーザ端末は、ゼロ電力参照信号に基づいて、ＰＩＮ，ｋを測定してもよい。該ゼロ電力参照信号について、前記ユーザ端末の基地局は、電力を送信しない。
【００４７】
最後に、該ユーザ端末は、数式５によって、マルチユーザＳＩＮＲを算出し、該マルチユーザＳＩＮＲを量子化して、ＭＵ−ＣＱＩを得る。
【数５】
2019516267.tif 000007
【００４８】
一例では、該マルチユーザＳＩＮＲは、設定された段階数に量子化されてもよい。例えば、対応するＭＵ−ＣＱＩの番号が０〜２６である２７段階の量子化を行う。
【００４９】
ブロードバンドＭＵ−ＳＩＮＲ及びＭＵ−ＣＱＩは、Ｋ個のサブバンドのＳＮＲを平均化し量子化して得られてもよい。
【００５０】
一例では、第１のタイプの測定及び第２のタイプの測定が同時にトリガーされ、ステップ２０６における第２の測定結果を得て基地局にフィードバックすることは、前記信号電力及び前記干渉電力に基づいて、マルチユーザＣＱＩを生成し、第１の測定結果における第１のＣＱＩを前記マルチユーザＣＱＩに修正して前記基地局に送信することを含む。これにより、測定フィードバック全体のオーバヘッドを低減させる。即ち、この例では、測定フィードバックにおいて、新たなフィールドを追加する必要がなく、前記マルチユーザＣＱＩを付けることに既存のフィールドを使用する。一例では、該ユーザ端末は、第１のＣＱＩ及び前記マルチユーザＣＱＩを同時に前記基地局にフィードバックしてもよい。
【００５１】
一例では、ステップ２０６における第２の測定結果を得て基地局にフィードバックすることは、前記信号電力及び前記干渉電力に基づいて、マルチユーザＣＱＩを生成し、第１のＣＱＩと前記マルチユーザＣＱＩとの第１のオフセットを決定し、前記第１のＣＱＩ及び前記第１のオフセットを前記基地局に送信することを含む。前記第１のＣＱＩが７であり、前記マルチユーザＣＱＩが１５であると仮定すると、前記第１のオフセットが８であることが決定される。一例では、前記第１のＣＱＩは、第１のタイプの測定によって得られたものであり、該第１のタイプの測定は、第２のタイプの測定と同時に行われてもよいし、前記第２のタイプの測定に先立って発生してもよい。
【００５２】
一例では、ステップ２０６における第２の測定結果を得て基地局にフィードバックすることは、前記信号電力及び前記干渉電力に基づいて、マルチユーザＣＱＩを生成し、第２のＤＣＩから変調符号化方式（ＭＣＳ）指示を得、前記ＭＣＳ指示と前記マルチユーザＣＱＩとの第２のオフセットを決定し、前記ＭＣＳ指示及び前記第２のオフセットを前記基地局に送信することを含む。一例では、前記ＭＣＳ指示が１１であり、マルチユーザＣＱＩが１３である場合、第２のオフセットは２である。
【００５３】
図３に示すように、サブフレーム１〜５において、ＵＥ１は、通常のＣＳＩ−ＲＳポートにおいてＣＳＩ−ＲＳ信号を測定し、サブフレーム７において、ＵＥ１は、相応のＣＳＩ−ＲＳフィードバックを提供する。ここから分かるように、サブフレーム２において、ＵＥ２、ＵＥ３、ＵＥ４、ＵＥ５が下りリンクでスケジューリングされる。サブフレーム４において、ＵＥ４、ＵＥ５、ＵＥ６、ＵＥ７が下りリンクでスケジューリングされる。サブフレーム１１において、ＵＥ１、ＵＥ３、ＵＥ５、ＵＥ７が下りリンクでスケジューリングされ、このとき、ＵＥ１は、ＤＭＲＳポートにおいて測定を行う。サブフレーム１４において、ＵＥ１は、ＤＭＲＳポートにおける第２の測定結果を基地局にフィードバックする。サブフレーム１６において、ＵＥ１、ＵＥ３、ＵＥ５、ＵＥ７が下りリンクでスケジューリングされる。このとき、サブフレーム１４においてＵＥ１から提供されたフィードバックは、サブフレーム１６のユーザスケジューリングをより良く指導することができる。
【００５４】
図４は、本発明の実施例におけるチャネル品質フィードバック方法４００のフローの模式図である。一例では、この方法４００は、以下の処理を含む。
【００５５】
ステップ４０１で、ユーザ端末は、第１の参照信号ポートにおいて、チャネル品質測定を行って、第１の測定結果を得て基地局にフィードバックする。
【００５６】
ステップ４０２で、該ユーザ端末は、第２のタイプの測定のトリガー条件が満たされるか否かを検出する。
【００５７】
ステップ４０３で、該トリガー条件が満たされる場合、該ユーザ端末に割り当てられたＤＭＲＳポートにおいて、チャネル推定を行って、該ユーザ端末の信号電力を得る。
【００５８】
ステップ４０４で、該ユーザ端末と同期スケジューリングされる他のユーザ端末に割り当てられたＤＭＲＳポートにおいて、それぞれチャネル推定を行って、干渉電力を得る。
【００５９】
一例では、該ユーザ端末はＵＥ１であり、今回マルチユーザスケジューリングされるユーザ端末は、ＵＥ１、ＵＥ３、ＵＥ５、ＵＥ７を含む。この場合、ＵＥ１は、ＵＥ３、ＵＥ５、ＵＥ７によるＵＥ１への実際のＭＵＩを得るために、ＵＥ３、ＵＥ５、ＵＥ７のＤＭＲＳポートのいずれにおいても、チャネル推定を行う必要がある。一例では、基地局は、今回マルチユーザスケジューリングされるデータ伝送レイヤのレイヤ数を、第２のＤＣＩを介して、該ユーザ端末に通知することにより、該ユーザ端末は、干渉電力を決定する際に幾つのＤＭＲＳポートにおいてチャネル推定を行う必要があるかを知る。
【００６０】
ステップ４０５で、該ユーザ端末は、前記信号電力及び前記干渉電力によって、第２の測定結果を得て該基地局に送信する。
【００６１】
図５は、本発明の実施例におけるチャネル品質フィードバック方法５００のフローの模式図である。一例では、この方法５００は、以下の処理を含む。
【００６２】
ステップ５０１で、ユーザ端末は、第１の参照信号ポートにおいて、チャネル品質測定を行って、第１の測定結果を得て基地局にフィードバックする。
【００６３】
ステップ５０２で、該ユーザ端末のゼロ電力（ＺＰ：ｚｅｒｏ  ｐｏｗｅｒ）ＣＳＩ−ＲＳポートにおいて前記基地局から送信された、該ユーザ端末と同期スケジューリングされる他のユーザ端末のデータ信号を受信する。
【００６４】
具体的には、基地局は、今回マルチユーザスケジューリングされるユーザ端末にゼロ電力ＣＳＩ−ＲＳポートのＲＥを割り当てる。異なるユーザ端末は、ゼロ電力ＣＳＩ−ＲＳポートにおけるＲＥの位置が異なる。基地局は、あるユーザ端末のゼロ電力ＣＳＩ−ＲＳポートのＲＥにおいて、該ユーザ端末のデータ信号を伝送しなく、同期スケジューリングされる他のユーザ端末のデータ信号を伝送する。
【００６５】
ステップ５０３で、該ユーザ端末は、第２のタイプの測定のトリガー条件が満たされるか否かを検出する。
【００６６】
ステップ５０４で、該トリガー条件が満たされる場合、該ユーザ端末のＤＭＲＳポートにおいて、チャネル推定を行って、前記ユーザ端末の信号電力を得る。
【００６７】
ステップ５０５で、該ユーザ端末は、前記ＺＰ  ＣＳＩ−ＲＳポートにおける自局に割り当てられたＲＥにおいて、干渉電力を測定して、実際のＭＵＩを得る。
【００６８】
指摘すべきものとして、該ユーザ端末と異なる点は、同期スケジューリングされる他のユーザ端末が、該ＲＥにおいて受信された信号をデータ信号と見なすことにある。即ち、マルチユーザスケジューリングでは、基地局から各ユーザ端末に割り当てられたＺＰ  ＣＳＩ−ＲＳポートにおけるＲＥが異なり、ユーザ端末は、ＺＰ  ＣＳＩ−ＲＳポートにおける自局のＲＥにおいて、干渉電力の測定を行う。また、該ユーザ端末は、ＺＰ  ＣＳＩ−ＲＳポートにおける他のユーザ端末のＲＥにおいて送信された信号をデータチャネルと見なし、これらのＲＥにおいて伝送されたデータ信号を復調する。
【００６９】
ステップ５０６で、該ユーザ端末は、前記信号電力及び前記干渉電力によって、第２の測定結果を得て該基地局に送信する。
【００７０】
図６は、本発明の実施例におけるチャネル品質フィードバック方法６００のフローの模式図である。一例では、この方法６００は、以下の処理を含む。
【００７１】
ステップ６０１で、ユーザ端末は、第１の参照信号ポートにおいて、チャネル品質測定を行って、第１の測定結果を得て基地局にフィードバックする。
【００７２】
ステップ６０２で、前記基地局は、予め設定された１組のユーザ固有ＣＳＩ−ＲＳポートの中から、１つ又は複数の第１のユーザ固有ＣＳＩ−ＲＳポートを選択し、第１の下り制御情報（ＤＣＩ）を介して、前記第１のユーザ固有ＣＳＩ−ＲＳポートを該ユーザ端末に指示する。これに応じて、該ユーザ端末は、前記第１のユーザ固有ＣＳＩ−ＲＳポートの指示情報が付けられている第１のＤＣＩを受信する。
【００７３】
一例では、基地局は、ユーザ固有ＣＳＩ−ＲＳポートの中から、１つの第１のユーザ固有ＣＳＩ−ＲＳポートを選択し、或いは、２つの第１のユーザ固有ＣＳＩ−ＲＳポートを選択してもよい。一例では、該第１のユーザ固有ＣＳＩ−ＲＳポートの指示情報は、上りリンクグラント（ＵＬ  ｇｒａｎｔ）に付けられてもよい。指摘すべきものとして、基地局とユーザ端末との間は、この１組のユーザ固有ＣＳＩ−ＲＳポートを事前に約束し、或いは、基地局は、上位レイヤシグナリングを介して、予め設定されたユーザ固有ＣＳＩ−ＲＳポートを該ユーザ端末に知らせるようにしてもよい。
【００７４】
ステップ６０３で、該ユーザ端末は、第２のタイプの測定のトリガー条件が満たされるか否かを検出する。
【００７５】
ステップ６０４で、該トリガー条件が満たされる場合、前記第１のユーザ固有ＣＳＩ−ＲＳポートにおいて、前記ユーザ端末の信号電力を測定する。
【００７６】
ステップ６０５で、前記１組のユーザ固有ＣＳＩ−ＲＳポートにおける全てのＲＥの総電力を算出する。
【００７７】
ステップ６０６で、該総電力及び前記信号電力から、干渉電力を得る。ここから分かるように、ユーザ端末で算出されたのは、全てのユーザ固有ＣＳＩ−ＲＳポートにおける総電力であるので、ステップ６０６で得られた干渉電力には、自セル内の実際のＭＵＩが含まれる。
【００７８】
ステップ６０７で、該ユーザ端末は、前記信号電力及び前記干渉電力によって、第２の測定結果を得て該基地局に送信する。
【００７９】
図７は、本発明の実施例におけるチャネル品質フィードバック方法７００のフローの模式図である。一例では、この方法７００は、以下の処理を含む。
【００８０】
ステップ７０１で、ユーザ端末は、第１の参照信号ポートにおいて、チャネル品質測定を行って、第１の測定結果を得て基地局にフィードバックする。
【００８１】
ステップ７０２で、前記基地局は、予め設定されたユーザ固有ＣＳＩ−ＲＳポートの中から、１つ又は複数の第１のユーザ固有ＣＳＩ−ＲＳポートを選択し、第１のＤＣＩを介して、前記第１のユーザ固有ＣＳＩ−ＲＳポートを該ユーザ端末に指示する。これに応じて、前記ユーザ端末は、前記第１のユーザ固有ＣＳＩ−ＲＳポートの指示情報が付けられている前記第１のＤＣＩを受信する。
【００８２】
ステップ７０３で、該ユーザ端末は、第２のタイプの測定のトリガー条件が満たされるか否かを検出する。
【００８３】
ステップ７０４で、該トリガー条件が満たされる場合、前記第１のユーザ固有ＣＳＩ−ＲＳポートにおいて、前記ユーザ端末の信号電力を測定する。
【００８４】
ステップ７０５で、第２のユーザ固有ＣＳＩ−ＲＳポートにおいて、チャネル推定を行って、干渉電力を得る。
【００８５】
一例では、前記第２のユーザ固有ＣＳＩ−ＲＳポートは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである。例えば、予め設定されたユーザ固有ＣＳＩ−ＲＳポートが８つであり、第１のユーザ固有ＣＳＩ−ＲＳポートが２つである場合、第２のユーザ固有ＣＳＩ−ＲＳポートは、多くとも６つであってもよい。一例では、基地局は、第２のＤＣＩを介して、実際に使用されるユーザ固有ＣＳＩ−ＲＳポートの数を該ユーザ端末に通知してもよい。これにより、該ユーザ端末は、干渉電力を決定する際に幾つの第２のユーザ固有ＣＳＩ−ＲＳポートにおいてチャネル推定を行う必要があるかを知る。一例では、該実際に使用されるユーザ固有ＣＳＩ−ＲＳポートの数は、予め設定されたユーザ固有ＣＳＩ−ＲＳポートの数より小さくてもよい。例えば、前記第２のユーザ固有ＣＳＩ−ＲＳポートが２つである場合、該実際に使用されるユーザ固有ＣＳＩ−ＲＳポートの数は４である。
【００８６】
ステップ７０６で、該ユーザ端末は、前記信号電力及び前記干渉電力によって、第２の測定結果を得て該基地局に送信する。
【００８７】
図８は、本発明の実施例におけるチャネル品質フィードバック方法８００のフローの模式図である。一例では、この方法８００は、以下の処理を含む。
【００８８】
ステップ８０１で、ユーザ端末は、第１の参照信号ポートにおいて、チャネル品質測定を行って、第１の測定結果を得て基地局にフィードバックする。
【００８９】
ステップ８０２で、該ユーザ端末は、予め設定されたユーザ固有ＣＳＩ−ＲＳポートの中から、１つ又は複数の第１のユーザ固有ＣＳＩ−ＲＳポートを選択する。
【００９０】
さらに、該ユーザ端末は、前記第１のユーザ固有ＣＳＩ−ＲＳポートを前記基地局に通知してもよい。ステップ７０２と異なる点は、ステップ８０２において、第１のユーザ固有ＣＳＩ−ＲＳポートがユーザ端末によって選択されたものであるので、基地局によって、ＵＬ  ｇｒａｎｔに第１のユーザ固有ＣＳＩ−ＲＳポートの指示情報を追加する必要がないことにある。
【００９１】
ステップ８０３で、該ユーザ端末は、第２のタイプの測定のトリガー条件が満たされるか否かを検出する。
【００９２】
ステップ８０４で、該トリガー条件が満たされる場合、前記第１のユーザ固有ＣＳＩ−ＲＳポートにおいて、前記ユーザ端末の信号電力を測定する。
【００９３】
ステップ８０５で、前記予め設定されたユーザ固有ＣＳＩ−ＲＳポートにおける全てのＲＥの総電力を算出する。
【００９４】
ステップ８０６で、該総電力及び前記信号電力から、干渉電力を得る。
【００９５】
ステップ８０７で、該ユーザ端末は、前記信号電力及び前記干渉電力によって、第２の測定結果を得て該基地局に送信する。
【００９６】
図９は、本発明の実施例におけるチャネル品質フィードバック方法９００のフローの模式図である。一例では、この方法９００は、以下の処理を含む。
【００９７】
ステップ９０１で、ユーザ端末は、第１の参照信号ポートにおいて、チャネル品質測定を行って、第１の測定結果を得て基地局にフィードバックする。
【００９８】
ステップ９０２で、該ユーザ端末は、予め設定された１組のユーザ固有ＣＳＩ−ＲＳポートの中から、１つ又は複数の第１のユーザ固有ＣＳＩ−ＲＳポートを選択し、前記第１のユーザ固有ＣＳＩ−ＲＳポートを前記基地局に通知する。
【００９９】
ステップ９０３で、該ユーザ端末は、第２のタイプの測定のトリガー条件が満たされるか否かを検出する。
【０１００】
ステップ９０４で、該トリガー条件が満たされる場合、前記第１のユーザ固有ＣＳＩ−ＲＳポートにおいて、前記ユーザ端末の信号電力を測定する。
【０１０１】
ステップ９０５で、第２のユーザ固有ＣＳＩ−ＲＳポートにおいて、チャネル推定を行って、干渉電力を得る。一例では、前記第２のユーザ固有ＣＳＩ−ＲＳポートは、前記予め設定されたユーザ固有ＣＳＩ−ＲＳポートから、前記第１のユーザ固有ＣＳＩ−ＲＳポートを除外した１つ又は複数の他のユーザ固有ＣＳＩ−ＲＳポートである。
【０１０２】
ステップ９０６で、該ユーザ端末は、前記信号電力及び前記干渉電力によって、第２の測定結果を得て該基地局に送信する。
【０１０３】
図１０は、本発明の実施例におけるチャネル品質フィードバック方法１０００のフローの模式図である。一例では、この方法１０００は、以下の処理を含む。
【０１０４】
ステップ１００１で、ユーザ端末は、第１の参照信号ポートにおいて、チャネル品質測定を行って、第１の測定結果を得て基地局にフィードバックする。
【０１０５】
ステップ１００２で、前記ユーザ端末は、ユーザ固有上位レイヤシグナリング又は第１のＤＣＩに付けられているマルチユーザＣＱＩ情報ビットを読み取る。
【０１０６】
一例では、前記ユーザ固有上位レイヤシグナリングは、無線リソース制御（ＲＲＣ：Ｒａｄｉｏ  Ｒｅｓｏｕｒｃｅ  Ｃｏｎｔｒｏｌ）シグナリングであり、該ＲＲＣシグナリングには、マルチユーザＣＱＩパラメータが追加され、該マルチユーザＣＱＩパラメータの値は、オン（ＯＮ）又はオフ（ＯＦＦ）である。
【０１０７】
一例では、前記第１のＤＣＩは、ＤＣＩ  ４のフォーマットを用いたＰＵＳＣＨフィードバック情報である。一例では、前記ＤＣＩ  ４に、前記マルチユーザＣＱＩ情報ビットである１ビットを追加してもよい。一例では、前記ＤＣＩ  ４に、マルチユーザスケジューリングのデータ伝送レイヤのレイヤ数を指示するための３ビットをさらに追加してもよい。
【０１０８】
ステップ１００３で、前記マルチユーザＣＱＩ情報ビットに基づいて、第２のタイプの測定を行うか否かを判断する。一例では、マルチユーザＣＱＩ情報ビットの値が１である場合、前記第２のタイプの測定を行う必要があることが表される。
【０１０９】
ステップ１００４で、前記第２のタイプの測定を行うことが決定された場合、前記ユーザ端末は、自局のデータ信号を受信したか否かを検出する。
【０１１０】
ステップ１００５で、該データ信号を受信したとき、前記ユーザ端末は、第２の参照信号ポートにおいて、マルチユーザスケジューリング時のチャネル品質測定を行って、第２の測定結果を得て前記基地局にフィードバックする。
【０１１１】
一例では、前記第２の参照信号ポートは、ＤＭＲＳポートであってもよいし、ユーザ固有ＣＳＩ−ＲＳポートであってもよい。指摘すべきものとして、ステップ１００５の処理は、図２〜図９の説明を参照すればよい。
【０１１２】
図１１では、サブフレーム１１において、基地局は、第１のＤＣＩ、第２のＤＣＩ、及びＰＤＳＣＨデータ信号をＵＥ１に送信する。該第１のＤＣＩには、マルチユーザＣＱＩ情報ビットが付けられる。サブフレーム１４において、ＵＥ１は、第１のＣＱＩ及び第１のオフセットをフィードバックする。ここで、第１のＤＣＩ及び第２のＤＣＩは、同じ時間リソースを使用してもよい。指摘すべきものとして、サブフレーム１〜１０の状況は、図１１に示されていないが、図３を参照すればよい。
【０１１３】
図１２では、サブフレーム１０において、基地局は、第１のＤＣＩをＵＥ１に送信する。該第１のＤＣＩには、マルチユーザＣＱＩ情報ビットが付けられる。サブフレーム１１において、基地局は、第２のＤＣＩ及びＰＤＳＣＨデータ信号をＵＥ１に送信する。サブフレーム１１において、ＵＥ１は、自局のデータ信号を受信したので、ＤＭＲＳポートにおいて測定を行うことがトリガーされる。サブフレーム１４において、ＵＥ１は、第２のタイプの測定に基づいて、第１のＣＱＩ及び第１のオフセットを基地局にフィードバックする。指摘すべきものとして、サブフレーム１〜９の状況は、図１２にも示されていないが、図３を参照すればよい。
【０１１４】
図１３は、本発明の実施例におけるチャネル品質フィードバック方法１３００のフローの模式図である。一例では、この方法１３００は、以下の処理を含む。
【０１１５】
ステップ１３０１で、ユーザ端末は、第１の参照信号ポートにおいて、チャネル品質測定を行って、第１の測定結果を得て基地局にフィードバックする。
【０１１６】
ステップ１３０２で、前記基地局は、物理上り共有チャネル（ＰＵＳＣＨ）フィードバック情報及び物理下り共有チャネル（ＰＤＳＣＨ）伝送情報を指示するための第３のＤＣＩを送信する。一例では、前記第３のＤＣＩは、ＰＵＳＣＨフィードバック情報及びＰＤＳＣＨ伝送情報を同時に伝送するための、新たに設計されたＤＣＩである。これにより、ユーザ端末は、１回のみのＤＣＩ解析を行うだけで、上り及び下りの２種類の情報を得ることができる。一例では、前記第３のＤＣＩは、ＤＣＩ  ４及びＤＣＩ  ２Ｃ／２Ｄの同じフィールドがマージされることで、ＤＣＩのオーバヘッドを低減させる。
【０１１７】
ステップ１３０３で、前記ユーザ端末は、前記第３のＤＣＩに付けられているマルチユーザＣＱＩ情報ビットを読み取る。
【０１１８】
ステップ１３０４で、前記マルチユーザＣＱＩ情報ビットによって、第２のタイプの測定を行う必要があることが指示される場合、前記ユーザ端末は、自局のデータ信号を受信したか否かを検出する。
【０１１９】
ステップ１３０５で、該データ信号を受信したとき、前記ユーザ端末は、第２の参照信号ポートにおいて、マルチユーザスケジューリング時のチャネル品質測定を行って、第２の測定結果を得て基地局にフィードバックする。
【０１２０】
一例では、ステップ１００４又はステップ１３０４におけるユーザ端末が、自局のデータ信号を受信したか否かを検出することは、前記ユーザ端末がサブフレームｎにおいて前記マルチユーザＣＱＩ情報ビットを受信した場合、該ユーザ端末がサブフレーム（ｎ−ｋ１）からサブフレーム（ｎ＋ｋ２）の間に（ｋ１は（−ｋ２）以上、前記ｋ２は０以上）前記データ信号を受信したか否かを決定し、受信したとき、該トリガー条件が満たされると決定する、ことを含む。ここで、前記ユーザ端末は、サブフレーム（ｎ＋ｋ３）において（ｋ３はｋ２より大きい）、前記第２の測定結果をフィードバックする。一例では、ｋ３−ｋ２＞２であり、即ち、データ解析のために、前記ユーザ端末に対して２つのサブフレーム以上の時間を保留する必要がある。
【０１２１】
図１４は、本発明の実施例におけるチャネル品質フィードバック方法１４００のフローの模式図である。一例では、この方法１４００は、以下の処理を含む。
【０１２２】
ステップ１４０１で、ユーザ端末は、第１の参照信号ポートにおいて、チャネル品質測定を行って、第１の測定結果を得て基地局にフィードバックする。
【０１２３】
ステップ１４０２で、前記ユーザ端末は、第２のＤＣＩを受信したか否かを判断する。ここで、前記第２のＤＣＩは、物理下り共有チャネル（ＰＤＳＣＨ）伝送情報を指示するためのものである。
【０１２４】
ステップ１４０３で、前記第２のＤＣＩを受信した場合、測定ウィンドウにおいてＣＳＩ−ＲＳフィードバックタイミングが存在するか否かを判断する。一例では、該第２のＤＣＩを受信したサブフレームがサブフレームｎであると仮定すると、前記測定ウィンドウは、（ｎ−ｋ１）と（ｎ＋ｋ２）との間にあり（ｋ１は（−ｋ２）以上、ｋ２は０以上）、１つ又は複数のサブフレーム持続してもよい。
【０１２５】
ステップ１４０４で、前記ＣＳＩ−ＲＳフィードバックタイミングが存在するとき、前記ユーザ端末は、第２の参照信号ポートにおいて、マルチユーザスケジューリング時のチャネル品質測定を行って、第２の測定結果を得て基地局に報告する。一例では、前記第２の参照信号ポートがＤＭＲＳポートである場合、前記第２の測定結果はＤＭＲＳフィードバックである。該ＤＭＲＳフィードバックは、サブバンドＭＵ−ＣＱＩを含んでもよいし、ブロードバンドＭＵ−ＣＱＩ、及び／又は、モデル３−０又はモデル３−１又はモデル３−２で定義されたフィールドをさらに含んでもよい。
【０１２６】
一例では、前記サブバンドＭＵ−ＣＱＩは、以下のように算出される。即ち、該ユーザ端末の各サブバンドにおける信号電力を決定し、各サブバンドにおける該ユーザ端末の干渉電力を推定し、各サブバンドにおける前記信号電力と前記干渉電力との比率に基づいて、該サブバンドにおけるマルチユーザＳＩＮＲを決定し、該マルチユーザＳＩＮＲから、該サブバンドにおけるマルチユーザＣＱＩを得る。
【０１２７】
一例では、前記ブロードバンドＭＵ−ＣＱＩは、以下のように算出される。即ち、基地局から受信されたリソース割当タイプによって、該ユーザ端末のブロードバンドマルチユーザＣＱＩを算出する必要があることが決定された場合、全てのサブバンドにおけるマルチユーザＳＩＮＲを平均化し量子化して、ブロードバンドマルチユーザＣＱＩを得る。
【０１２８】
図１４の説明から分かるように、ステップ１０２におけるトリガー条件は、該ユーザ端末がスケジューリングされ、かつ、測定ウィンドウ内で、該ユーザ端末が、ＣＳＩ−ＲＳフィードバックを行う機会を持つことである。一例では、該ユーザ端末は、周期的にＣＳＩ−ＲＳフィードバックを行うように設定される。
【０１２９】
図１５は、本発明の実施例におけるチャネル品質測定の制御方法１５００のフローの模式図である。一例では、この方法１５００は、以下の処理を含む。
【０１３０】
ステップ１５０１で、基地局は、通常設定情報を介して、ユーザ端末（ＵＥ）に対し、第１の参照信号ポートにおいて、チャネル品質測定を行うよう通知し、該ユーザ端末からフィードバックされた第１の測定結果を受信する。一例では、前記基地局は、前記第１の測定結果に基づいて、マルチユーザスケジューリングを行ってもよい。
【０１３１】
ステップ１５０２で、前記基地局は、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする。
【０１３２】
一例では、ステップ１５０２における第２のタイプの測定のトリガー条件をオンに設定することは、前記基地局が、ユーザ固有上位レイヤシグナリング又は第１のＤＣＩに、マルチユーザＣＱＩ情報ビットを追加し、該マルチユーザＣＱＩ情報ビットをオンに設定して、前記ユーザ端末に送信することにより、該ユーザ端末が前記第２のタイプの測定を行うことをトリガーする、ことを含む。ここで、前記第１のＤＣＩは、物理上り共有チャネル（ＰＵＳＣＨ）フィードバック情報を指示するためのものである。
【０１３３】
一例では、ステップ１５０２における第２のタイプの測定のトリガー条件をオンに設定することは、前記基地局が、物理上り共有チャネル（ＰＵＳＣＨ）フィードバック情報及び物理下り共有チャネル（ＰＤＳＣＨ）伝送情報を指示するための第３のＤＣＩを構築し、前記第３のＤＣＩのマルチユーザＣＱＩ情報ビットをオンに設定して、前記ユーザ端末に送信することにより、該ユーザ端末が前記第２のタイプの測定を行うことをトリガーする、ことを含む。
【０１３４】
図１６は、本発明の実施例におけるチャネル品質測定の制御方法１６００のフローの模式図である。一例では、この方法１６００は、以下の処理を含む。
【０１３５】
ステップ１６０１で、基地局は、通常設定情報を介して、ユーザ端末（ＵＥ）に対し、第１の参照信号ポートにおいて、チャネル品質測定を行うよう通知し、該ユーザ端末からフィードバックされた第１の測定結果を受信する。このとき、基地局で起動されたのは、第１のタイプの測定である。
【０１３６】
ステップ１６０２で、前記基地局は、該ユーザ端末がスケジューリングされる場合、第２のタイプの測定のトリガー条件をオンに設定することにより、前記ユーザ端末が第２の参照信号ポートにおいて、マルチユーザスケジューリング時のチャネル品質測定を行って、第２の測定結果をフィードバックすることをトリガーする。
【０１３７】
ステップ１６０３で、前記基地局は、ゼロ電力ＣＳＩ−ＲＳポートにおける該ユーザ端末に割り当てられたＲＥを決定し、該ＲＥにおいて、該ユーザ端末と同期スケジューリングされる他のユーザ端末のデータ信号を送信することにより、前記ユーザ端末が、前記自局に割り当てられたＲＥにおいて、干渉電力を測定するようにし、該ユーザ端末と同期スケジューリングされる他のユーザ端末が、該ＲＥにおいて、データ信号を受信するようにする。
【０１３８】
図１７は、本発明の実施例におけるチャネル品質測定の制御方法１７００のフローの模式図である。一例では、この方法１７００は、以下の処理を含む。
【０１３９】
ステップ１７０１で、基地局は、通常設定情報を介して、ユーザ端末（ＵＥ）に対し、第１の参照信号ポートにおいて、チャネル品質測定を行うよう通知し、該ユーザ端末からフィードバックされた第１の測定結果を受信する。
【０１４０】
ステップ１７０２で、前記基地局は、該ユーザ端末がスケジューリングされる場合、第２のタイプの測定のトリガー条件をオンに設定する。
【０１４１】
ステップ１７０３で、前記基地局は、ＣＳＩ−ＲＳポートの中から、１組のユーザ固有ＣＳＩ−ＲＳポートを第２の参照信号ポートとして分割し、前記ユーザ端末が、該第２の参照信号ポートにおいて、マルチユーザスケジューリング時のチャネル品質測定を行うことをトリガーする。一例では、前記ユーザ端末は、トリガーされると、前記ユーザ固有ＣＳＩ−ＲＳポートにおける全てのＲＥの総電力を算出する。
【０１４２】
ステップ１７０４で、該基地局は、前記ユーザ固有ＣＳＩ−ＲＳポートの中から、１つ又は複数の第１のユーザ固有ＣＳＩ−ＲＳポートを選択し、第１の下り制御情報（ＤＣＩ）を介して、前記第１のユーザ固有ＣＳＩ−ＲＳポートを該ユーザ端末に指示し、前記ユーザ端末が前記第１のユーザ固有ＣＳＩ−ＲＳポートにおいて信号電力を測定することに供する。ここで、前記第１のＤＣＩは、物理上り共有チャネル（ＰＵＳＣＨ）フィードバック情報を指示するためのものである。
【０１４３】
図１８は、本発明の実施例におけるチャネル品質測定の制御方法１８００のフローの模式図である。一例では、この方法１８００は、以下の処理を含む。
【０１４４】
ステップ１８０１で、基地局は、通常設定情報を介して、ユーザ端末（ＵＥ）に対し、第１の参照信号ポートにおいて、チャネル品質測定を行うよう通知し、該ユーザ端末からフィードバックされた第１の測定結果を受信する。一例では、前記基地局は、前記第１の測定結果に基づいて、マルチユーザスケジューリングを行ってもよい。
【０１４５】
ステップ１８０２で、前記基地局は、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする。
【０１４６】
ステップ１８０３で、前記基地局は、前記ユーザ端末から送信された前記第２の測定結果を受信し、その中から、第１のＣＱＩ及び第１のオフセットを取得し、前記第１のＣＱＩ及び前記第１のオフセットに基づいて、マルチユーザＣＱＩを復元する。
【０１４７】
図１９は、本発明の実施例におけるチャネル品質測定の制御方法１９００のフローの模式図である。一例では、この方法１９００は、以下の処理を含む。
【０１４８】
ステップ１９０１で、基地局は、通常設定情報を介して、ユーザ端末（ＵＥ）に対し、第１の参照信号ポートにおいて、チャネル品質測定を行うよう通知し、該ユーザ端末からフィードバックされた第１の測定結果を受信する。一例では、前記基地局は、前記第１の測定結果に基づいて、マルチユーザスケジューリングを行ってもよい。
【０１４９】
ステップ１９０２で、前記基地局は、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする。
【０１５０】
ステップ１９０３で、前記基地局は、前記ユーザ端末から送信された前記第２の測定結果を受信し、その中から、ＭＣＳ指示及び第２のオフセットを取得し、前記ＭＣＳ指示及び前記第２のオフセットに基づいて、マルチユーザＣＱＩを復元する。
【０１５１】
また、本願には、図１、図２、図４〜図１０、図１３〜図１９に示す方法をコンピュータに実行させるプログラム、及び、該プログラムを記憶する不揮発性機械可読記憶媒体も開示されている。
【０１５２】
図２０は、本発明の実施例におけるユーザ端末２０００の構成の模式図である。一例では、該ユーザ端末２０００は、プロセッサ２００１と、不揮発性機械可読記憶媒体２００２と、該不揮発性機械可読記憶媒体２００２に記憶され、該プロセッサ２００１で実行されるプログラムモジュール２００３とを備える。
【０１５３】
一例では、前記プログラムモジュール２００３は、第１の参照信号ポートにおいて、チャネル品質測定を行って、第１の測定結果を得て基地局にフィードバックし、第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする。
【０１５４】
一例では、前記プログラムモジュール２００３は、第１の測定モジュール２０１３と、第２の測定モジュール２０２３とを含む。ここで、前記第１の測定モジュール２０１３は、第１の参照信号ポートにおいて、チャネル品質測定を行って、第１の測定結果を得て基地局にフィードバックする。前記第２の測定モジュール２０２３は、第２のタイプの測定のトリガー条件が満たされるか否かを検出し、該トリガー条件が満たされる場合、第２の参照信号ポートにおいて、マルチユーザスケジューリング時のチャネル品質測定を行って、第２の測定結果を得て基地局にフィードバックする。
【０１５５】
一例では、前記プログラムモジュール２００３は、前記マルチユーザスケジューリングに使用される全てのＤＭＲＳポートにおけるリソースエレメント（ＲＥ）の総電力を算出し、該ユーザ端末に割り当てられたＤＭＲＳポートにおいて、チャネル推定を行って、前記ユーザ端末の信号電力を得、前記総電力及び前記信号電力から、干渉電力を得る。
【０１５６】
一例では、前記プログラムモジュール２００３は、前記ユーザ端末に割り当てられたＤＭＲＳポートにおいて、チャネル推定を行って、該ユーザ端末の信号電力を得、該ユーザ端末と同期スケジューリングされる他のユーザ端末に割り当てられたＤＭＲＳポートにおいて、それぞれチャネル推定を行って、干渉電力を得る。
【０１５７】
一例では、前記プログラムモジュール２００３は、ゼロ電力ＣＳＩ−ＲＳポートにおける該ユーザ端末に割り当てられたＲＥにおいて前記基地局から送信された、該ユーザ端末と同期スケジューリングされる他のユーザ端末のデータ信号を受信し、該ユーザ端末に割り当てられたＤＭＲＳポートにおいて、チャネル推定を行って、前記ユーザ端末の信号電力を得、前記ゼロ電力ＣＳＩ−ＲＳポートにおける該ユーザ端末自身に割り当てられたＲＥにおいて、干渉電力を測定する。
【０１５８】
一例では、前記プログラムモジュール２００３は、物理上り共有チャネル（ＰＵＳＣＨ）フィードバック情報を指示するための第１の下り制御情報（ＤＣＩ）を介して前記基地局から提供された、前記予め設定されたユーザ固有ＣＳＩ−ＲＳポートの中から前記基地局によって選択された１つ又は複数の第１のユーザ固有ＣＳＩ−ＲＳポートの指示情報を受信し、前記第１のユーザ固有ＣＳＩ−ＲＳポートにおいて、前記ユーザ端末の信号電力を測定し、前記予め設定されたユーザ固有ＣＳＩ−ＲＳポートにおける全てのＲＥの総電力を算出し、該総電力及び前記信号電力から、干渉電力を得る。
【０１５９】
一例では、前記プログラムモジュール２００３は、物理上り共有チャネル（ＰＵＳＣＨ）フィードバック情報を指示するための第１の下り制御情報（ＤＣＩ）を介して前記基地局から提供された、前記予め設定されたユーザ固有ＣＳＩ−ＲＳポートの中から前記基地局によって選択された１つ又は複数の第１のユーザ固有ＣＳＩ−ＲＳポートの指示情報を受信し、前記第１のユーザ固有ＣＳＩ−ＲＳポートにおいて、前記ユーザ端末の信号電力を測定し、前記予め設定されたユーザ固有ＣＳＩ−ＲＳポートの中から、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って、前記干渉電力を得る。
【０１６０】
一例では、前記プログラムモジュール２００３は、前記予め設定されたユーザ固有ＣＳＩ−ＲＳポートの中から、１つ又は複数の第１のユーザ固有ＣＳＩ−ＲＳポートを選択し、前記第１のユーザ固有ＣＳＩ−ＲＳポートにおいて、前記ユーザ端末の信号電力を測定し、前記予め設定されたユーザ固有ＣＳＩ−ＲＳポートにおける全てのＲＥの総電力を算出し、該総電力及び前記信号電力から、干渉電力を得る。
【０１６１】
一例では、前記プログラムモジュール２００３は、前記予め設定されたユーザ固有ＣＳＩ−ＲＳポートの中から、１つ又は複数の第１のユーザ固有ＣＳＩ−ＲＳポートを選択し、前記第１のユーザ固有ＣＳＩ−ＲＳポートにおいて、前記ユーザ端末の信号電力を測定し、前記予め設定されたユーザ固有ＣＳＩ−ＲＳポートの中から、前記第１のユーザ固有ＣＳＩ−ＲＳポートを除外した１つ又は複数の他のユーザ固有ＣＳＩ−ＲＳポートである第２のユーザ固有ＣＳＩ−ＲＳポートにおいて、チャネル推定を行って、前記干渉電力を得る。
【０１６２】
一例では、前記プログラムモジュール２００３は、前記信号電力及び前記干渉電力に基づいて、マルチユーザチャネル品質指示（ＣＱＩ）を生成し、前記マルチユーザＣＱＩを前記第２の測定結果に付けて前記基地局に送信し、或いは、前記第１の測定結果における第１のＣＱＩを前記マルチユーザＣＱＩに修正して前記基地局に送信する。
【０１６３】
一例では、前記プログラムモジュール２００３は、前記信号電力及び前記干渉電力に基づいて、マルチユーザＣＱＩを生成し、第１のＣＱＩと前記マルチユーザＣＱＩとの第１のオフセットを決定し、前記第１のＣＱＩ及び前記第１のオフセットを前記基地局に送信する。
【０１６４】
一例では、前記プログラムモジュール２００３は、前記信号電力及び前記干渉電力に基づいて、マルチユーザＣＱＩを生成し、物理下り共有チャネル（ＰＤＳＣＨ）伝送情報を指示するための第２のＤＣＩから、変調符号化方式（ＭＣＳ）指示を得、前記ＭＣＳ指示と前記マルチユーザＣＱＩとの第２のオフセットを決定し、前記ＭＣＳ指示及び前記第２のオフセットを前記基地局に送信する。
【０１６５】
一例では、前記プログラムモジュール２００３は、ユーザ固有上位レイヤシグナリング、又は、物理上り共有チャネル（ＰＵＳＣＨ）フィードバック情報を指示するための第１のＤＣＩに付けられているマルチユーザＣＱＩ情報ビットを読み取り、前記マルチユーザＣＱＩ情報ビットによって、マルチユーザＣＱＩの測定を行う必要があることが指示される場合、自局のデータ信号を受信したか否かを検出し、受信したとき、該トリガー条件が満たされると決定する。
【０１６６】
一例では、前記プログラムモジュール２００３は、前記基地局から送信された、物理上り共有チャネル（ＰＵＳＣＨ）フィードバック情報及び物理下り共有チャネル（ＰＤＳＣＨ）伝送情報を指示するための第３のＤＣＩを受信し、前記第３のＤＣＩに付けられているマルチユーザＣＱＩ情報ビットを読み取り、前記マルチユーザＣＱＩ情報ビットによって、マルチユーザＣＱＩの測定を行う必要があることが指示される場合、自局のデータ信号を受信したか否かを検出し、受信したとき、該トリガー条件が満たされると決定する。
【０１６７】
一例では、前記プログラムモジュール２００３は、サブフレームｎにおいて前記マルチユーザＣＱＩ情報ビットを受信した場合、該ユーザ端末がサブフレーム（ｎ−ｋ１）からサブフレーム（ｎ＋ｋ２）の間に（ｋ１は（−ｋ２）以上、前記ｋ２は０以上）前記データ信号を受信したか否かを判断し、受信したとき、該トリガー条件が満たされると決定する。ここで、前記ユーザ端末は、サブフレーム（ｎ＋ｋ３）において（ｋ３はｋ２より大きい）、前記第２の測定結果をフィードバックする。
【０１６８】
一例では、前記プログラムモジュール２００３は、物理下り共有チャネル（ＰＤＳＣＨ）伝送情報を指示するための前記第２のＤＣＩを受信した場合、測定ウィンドウにおいてＣＳＩ−ＲＳフィードバックタイミングが存在するか否かを判断し、前記ＣＳＩ−ＲＳフィードバックタイミングが存在するとき、該トリガー条件が満たされると決定する。
【０１６９】
図２１は、本発明の実施例における基地局２１００の構成の模式図である。一例では、該基地局２１００は、プロセッサ２１０１と、不揮発性機械可読記憶媒体２１０２と、該不揮発性機械可読記憶媒体２１０２に記憶され、該プロセッサ２１０１で実行されるプログラムモジュール２１０３とを備える。
【０１７０】
一例では、前記プログラムモジュール２１０３は、通常設定情報を介して、ユーザ端末（ＵＥ）に対し、第１の参照信号ポートにおいて、チャネル品質測定を行うよう通知し、該ユーザ端末からフィードバックされた第１の測定結果を受信し、前記第１の測定結果に基づいて、マルチユーザスケジューリングを行い、該ユーザ端末がスケジューリングされる場合、第２のタイプの測定のトリガー条件をオンに設定することにより、前記ユーザ端末が、第２の参照信号ポートにおいて、マルチユーザスケジューリング時のチャネル品質測定を行って、第２の測定結果をフィードバックすることをトリガーする。
【０１７１】
一例では、前記プログラムモジュール２１０３は、ユーザ固有上位レイヤシグナリング又は第１のＤＣＩに、マルチユーザＣＱＩ情報ビットを追加し、該マルチユーザＣＱＩ情報ビットをオンに設定して、前記ユーザ端末に送信することにより、該ユーザ端末が前記第２のタイプの測定を行うことをトリガーする。ここで、前記第１のＤＣＩは、物理上り共有チャネル（ＰＵＳＣＨ）フィードバック情報を指示するためのものである。
【０１７２】
一例では、前記プログラムモジュール２１０３は、物理上り共有チャネル（ＰＵＳＣＨ）フィードバック情報及び物理下り共有チャネル（ＰＤＳＣＨ）伝送情報を指示するための第３のＤＣＩを構築し、前記第３のＤＣＩのマルチユーザＣＱＩ情報ビットをオンに設定して、前記ユーザ端末に送信することにより、該ユーザ端末が前記第２のタイプの測定を行うことをトリガーする。
【０１７３】
一例では、前記プログラムモジュール２１０３は、ゼロ電力ＣＳＩ−ＲＳポートにおける該ユーザ端末に割り当てられたＲＥにおいて、該ユーザ端末と同期スケジューリングされる他のユーザ端末のデータ信号を送信することにより、前記ユーザ端末が、前記自局に割り当てられたＲＥにおいて、干渉電力を測定するようにし、該ユーザ端末と同期スケジューリングされる他のユーザ端末が、該ＲＥにおいて、データ信号を受信するようにする。
【０１７４】
一例では、前記プログラムモジュール２１０３は、ＣＳＩ−ＲＳポートの中から、１組のユーザ固有ＣＳＩ−ＲＳポートを前記第２の参照信号ポートとして分割し、前記ユーザ端末が前記ユーザ固有ＣＳＩ−ＲＳポートにおける全てのＲＥの総電力を算出することに供し、前記ユーザ固有ＣＳＩ−ＲＳポートの中から、１つ又は複数の第１のユーザ固有ＣＳＩ−ＲＳポートを選択し、第１の下り制御情報（ＤＣＩ）を介して、前記第１のユーザ固有ＣＳＩ−ＲＳポートを該ユーザ端末に指示し、前記ユーザ端末が前記第１のユーザ固有ＣＳＩ−ＲＳポートにおいて信号電力を測定することに供する。ここで、前記第１のＤＣＩは、物理上り共有チャネル（ＰＵＳＣＨ）フィードバック情報を指示するためのものである。
【０１７５】
一例では、前記プログラムモジュール２１０３は、前記ユーザ端末から送信された前記第２の測定結果を受信し、その中から、第１のＣＱＩ及び第１のオフセットを取得し、前記第１のＣＱＩ及び前記第１のオフセットに基づいて、マルチユーザＣＱＩを復元する。
【０１７６】
一例では、前記プログラムモジュール２１０３は、前記ユーザ端末から送信された前記第２の測定結果を受信し、その中から、ＭＣＳ指示及び第２のオフセットを取得し、前記ＭＣＳ指示及び前記第２のオフセットに基づいて、マルチユーザＣＱＩを復元する。
【０１７７】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【０１７８】
例えば、本発明の一実施形態における無線基地局、ユーザ端末などは、本発明の無線通信方法の処理を行うコンピュータとして機能してもよい。図２２は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１８０】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１８１】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信を制御したり、メモリ１００２及びストレージ１００３におけるデータの読み出し及び／又は書き込みを制御したりすることで実現される。
【０１８２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【０１８３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。
【０１８４】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、ＲＡＭ（Ｒａｎｄｏｍ  Ａｃｃｅｓｓ  Ｍｅｍｏｒｙ）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１８５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Ｃｏｍｐａｃｔ  Ｄｉｓｃ  ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１８６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Ｆｒｅｑｕｅｎｃｙ  Ｄｉｖｉｓｉｏｎ  Ｄｕｐｌｅｘ）及び／又は時分割複信（ＴＤＤ：Ｔｉｍｅ  Ｄｉｖｉｓｉｏｎ  Ｄｕｐｌｅｘ）を実現するために、高周波スイッチ、デュプレクサ、フィルタ、周波数シンセサイザなどを含んで構成されてもよい。
【０１８７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Ｌｉｇｈｔ  Ｅｍｉｔｔｉｎｇ  Ｄｉｏｄｅ）ランプなど）である。なお、入力装置１００５及び出力装置１００６は、一体となった構成（例えば、タッチパネル）であってもよい。
【０１８８】
また、プロセッサ１００１、メモリ１００２などの各装置は、情報を通信するためのバス１００７で接続される。バス１００７は、単一のバスで構成されてもよいし、装置間で異なるバスで構成されてもよい。
【０１８９】
また、無線基地局１０及びユーザ端末２０は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１９０】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Ｒｅｆｅｒｅｎｃｅ  Ｓｉｇｎａｌ）と略称することもでき、適用される標準によってパイロット（Ｐｉｌｏｔ）、パイロット信号などと呼ばれてもよい。また、コンポーネントキャリア（ＣＣ：Ｃｏｍｐｏｎｅｎｔ  Ｃａｒｒｉｅｒ）は、セル、周波数キャリア、キャリア周波数などと呼ばれてもよい。
【０１９１】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１９２】
さらに、スロットは、時間領域において１つ又は複数のシンボル（ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）シンボルなど）で構成されてもよい。また、スロットは、ニューメロロジーに基づく時間単位であってもよい。また、スロットは、複数のミニスロットを含んでもよい。各ミニスロットは、時間領域において１つ又は複数のシンボルで構成されてもよい。また、ミニスロットは、サブスロットと呼ばれてもよい。
【０１９３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Ｔｒａｎｓｍｉｓｓｉｏｎ  Ｔｉｍｅ  Ｉｎｔｅｒｖａｌ）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９５】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（ｐａｒｔｉａｌ又はｆｒａｃｔｉｏｎａｌ  ＴＴＩ）、短縮サブフレーム、ショートサブフレーム、ミニスロット、又は、サブスロットなどと呼ばれてもよい。
【０１９８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９９】
リソースブロック（ＲＢ：Ｒｅｓｏｕｒｃｅ  Ｂｌｏｃｋ）は、時間領域及び周波数領域のリソース割当単位であり、周波数領域において、１つ又は複数個の連続した副搬送波（サブキャリア（ｓｕｂｃａｒｒｉｅｒ））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、１つ又は複数のＲＢは、物理リソースブロック（ＰＲＢ：Ｐｈｙｓｉｃａｌ  ＲＢ）、サブキャリアグループ（ＳＣＧ：Ｓｕｂ−Ｃａｒｒｉｅｒ  Ｇｒｏｕｐ）、リソースエレメントグループ（ＲＥＧ：Ｒｅｓｏｕｒｃｅ  Ｅｌｅｍｅｎｔ  Ｇｒｏｕｐ）、ＰＲＢペア、ＲＢペアなどと呼ばれてもよい。
【０２００】
また、リソースブロックは、１つ又は複数のリソースエレメント（ＲＥ：Ｒｅｓｏｕｒｃｅ  Ｅｌｅｍｅｎｔ）で構成されてもよい。例えば、１ＲＥは、１サブキャリア及び１シンボルの無線リソース領域であってもよい。
【０２０１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Ｃｙｃｌｉｃ  Ｐｒｅｆｉｘ）長などの構成は、様々に変更することができる。
【０２０２】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２０３】
本明細書においてパラメータなどに使用する名称は、いかなる点においても限定的なものではない。例えば、様々なチャネル（ＰＵＣＣＨ（Ｐｈｙｓｉｃａｌ  Ｕｐｌｉｎｋ  Ｃｏｎｔｒｏｌ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）など）及び情報要素は、あらゆる好適な名称によって識別できるので、これらの様々なチャネル及び情報要素に割り当てている様々な名称は、いかなる点においても限定的なものではない。
【０２０４】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０５】
また、情報、信号などは、上位レイヤから下位レイヤ、及び／又は下位レイヤから上位レイヤへ出力され得る。情報、信号などは、複数のネットワークノードを介して入出力されてもよい。
【０２０６】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２０７】
情報の通知は、本明細書で説明した態様／実施形態に限られず、他の方法で行われてもよい。例えば、情報の通知は、物理レイヤシグナリング（例えば、下り制御情報（ＤＣＩ：Ｄｏｗｎｌｉｎｋ  Ｃｏｎｔｒｏｌ  Ｉｎｆｏｒｍａｔｉｏｎ）、上り制御情報（ＵＣＩ：Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ブロードキャスト情報（マスタ情報ブロック（ＭＩＢ：Ｍａｓｔｅｒ  Ｉｎｆｏｒｍａｔｉｏｎ  Ｂｌｏｃｋ）、システム情報ブロック（ＳＩＢ：Ｓｙｓｔｅｍ  Ｉｎｆｏｒｍａｔｉｏｎ  Ｂｌｏｃｋ）など）、ＭＡＣ（Ｍｅｄｉｕｍ  Ａｃｃｅｓｓ  Ｃｏｎｔｒｏｌ）シグナリング）、その他の信号又はこれらの組み合わせによって実施されてもよい。
【０２０８】
なお、物理レイヤシグナリングは、Ｌ１／Ｌ２（Ｌａｙｅｒ  １／Ｌａｙｅｒ  ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。また、ＭＡＣシグナリングは、例えば、ＭＡＣ制御要素（ＭＡＣ  ＣＥ（Ｃｏｎｔｒｏｌ  Ｅｌｅｍｅｎｔ））で通知されてもよい。
【０２０９】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２１０】
判定は、１ビットで表される値（０か１か）によって行われてもよいし、真（ｔｒｕｅ）又は偽（ｆａｌｓｅ）で表される真偽値（ｂｏｏｌｅａｎ）によって行われてもよいし、数値の比較（例えば、所定の値との比較）によって行われてもよい。
【０２１１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Ｄｉｇｉｔａｌ  Ｓｕｂｓｃｒｉｂｅｒ  Ｌｉｎｅ）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１３】
本明細書で使用する「システム」及び「ネットワーク」という用語は、互換的に使用される。
【０２１４】
本明細書では、「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０２１５】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１６】
本明細書では、「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」及び「端末」という用語は、互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどの用語で呼ばれる場合もある。
【０２１７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１８】
また、本明細書における無線基地局は、ユーザ端末で読み替えてもよい。例えば、無線基地局及びユーザ端末間の通信を、複数のユーザ端末間（Ｄ２Ｄ：Ｄｅｖｉｃｅ−ｔｏ−Ｄｅｖｉｃｅ）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。同様に、本明細書におけるユーザ端末は、無線基地局で読み替えてもよい。この場合、上述のユーザ端末２０が有する機能を無線基地局１０が有する構成としてもよい。
【０２１９】
本明細書において、基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）から成るネットワークにおいて、端末との通信のために行われる様々な動作は、基地局、基地局以外の１つ以上のネットワークノード（例えば、ＭＭＥ（Ｍｏｂｉｌｉｔｙ  Ｍａｎａｇｅｍｅｎｔ  Ｅｎｔｉｔｙ）、Ｓ−ＧＷ（Ｓｅｒｖｉｎｇ−Ｇａｔｅｗａｙ）などが考えられるが、これらに限られない）又はこれらの組み合わせによって行われ得ることは明らかである。
【０２２０】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２１】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切な無線通信方法を利用するシステム及び／又はこれらに基づいて拡張された次世代システムに適用されてもよい。
【０２２２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２３】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２２４】
本明細書で使用する「判断（決定）（ｄｅｔｅｒｍｉｎｉｎｇ）」という用語は、多種多様な動作を包含する場合がある。例えば、「判断（決定）」は、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）などを「判断（決定）」することであるとみなされてもよい。また、「判断（決定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）などを「判断（決定）」することであるとみなされてもよい。また、「判断（決定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などを「判断（決定）」することであるとみなされてもよい。つまり、「判断（決定）」は、何らかの動作を「判断（決定）」することであるとみなされてもよい。
【０２２５】
本明細書で使用する「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」と読み替えられてもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び／又は光（可視及び不可視の両方）領域の波長を有する電磁エネルギーなどを使用することにより、互いに「接続」又は「結合」されると考えることができる。
【０２２６】
本明細書又は特許請求の範囲で「含む（ｉｎｃｌｕｄｉｎｇ）」、「含んでいる（ｃｏｍｐｒｉｓｉｎｇ）」、及びそれらの変形が使用されている場合、これらの用語は、用語「備える」と同様に、包括的であることが意図される。さらに、本明細書あるいは特許請求の範囲において使用されている用語「又は（ｏｒ）」は、排他的論理和ではないことが意図される。
【０２２７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２２８】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【０２２９】
２０００  ユーザ端末
２００１  プロセッサ
２００２  記憶媒体
２００３  プログラムモジュール
２０１３  第１の測定モジュール
２０２３  第２の測定モジュール
２１００  基地局
２１０１  プロセッサ
２１０２  記憶媒体
２１０３  プログラムモジュール
１０  無線基地局
２０  ユーザ端末
１００１  プロセッサ
１００２  メモリ
１００３  ストレージ
１００４  通信装置
１００５  入力装置
１００６  出力装置
１００７  バス
【図１】
2019516267.tif 000008
【図２】
2019516267.tif 000009
【図３】
2019516267.tif 000010
【図４】
2019516267.tif 000011
【図５】
2019516267.tif 000012
【図６】
2019516267.tif 000013
【図７】
2019516267.tif 000014
【図８】
2019516267.tif 000015
【図９】
2019516267.tif 000016
【図１０】
2019516267.tif 000017
【図１１】
2019516267.tif 000018
【図１２】
2019516267.tif 000019
【図１３】
2019516267.tif 000020
【図１４】
2019516267.tif 000021
【図１５】
2019516267.tif 000022
【図１６】
2019516267.tif 000023
【図１７】
2019516267.tif 000024
【図１８】
2019516267.tif 000025
【図１９】
2019516267.tif 000026
【図２０】
2019516267.tif 000027
【図２１】
2019516267.tif 000028
【図２２】
2019516267.tif 000029
【国際調査報告】
2019516267.tif 000030
2019516267.tif 000031
2019516267.tif 000032
2019516267.tif 000033